(57)【特許請求の範囲】
【請求項１】
走査線、第１制御線、第２制御線、データ線、第１電源、第２電源及び第３電源に接続される画素を含む画素部と、
前記第１制御線及び前記第２制御線を介して前記各画素に第１制御信号及び第２制御信号を提供する制御線駆動部と、
前記走査線を介して前記各画素に走査信号を提供する走査駆動部と、
前記データ線を介して前記各画素にデータ信号を提供するデータ駆動部と、
を含み、
前記各画素は、第１電極が前記第１電源に連結され、第２電極が第２トランジスタの第１電極に連結されて、ゲート電極が第１ノードに連結される第１トランジスタと、
第１電極が前記第１トランジスタの第２電極に連結され、第２電極が有機発光ダイオードのアノード電極に連結されて、ゲート電極が第１制御線に連結される第２トランジスタと、
第１電極が前記第３電源に連結され、第２電極が第４トランジスタの第１電極に連結されて、ゲート電極が走査線に連結される第３トランジスタと、
第１電極が前記第３トランジスタの第２電極に連結され、第２電極が前記第１ノードに連結されて、ゲート電極が前記第１制御線に連結される第４トランジスタと、
第１電極が前記データ線に連結され、第２電極が第６トランジスタの第２電極に連結されて、ゲート電極が第２制御線に連結される第５トランジスタと、
第１電極が前記第１ノードに連結され、第２電極が前記第５トランジスタの第２電極に連結されて、ゲート電極が前記走査線に連結される第６トランジスタと、
前記第１ノードと前記第１トランジスタの第１電極との間に接続されるストレージキャパシタと、
アノード電極が前記第２トランジスタの第２電極に連結されて、カソード電極が前記第２電源に連結される有機発光ダイオードと、を含み、
前記走査駆動部は一フレーム期間の間の第１の期間に第１走査信号を、前記第１の期間の後の第２の期間に第２走査信号を、それぞれの前記走査線に提供することを特徴とする、有機電界発光表示装置。
【請求項２】
前記第２走査信号は、前記第１走査信号が既に設定された期間だけ時間的に水平移動された信号であることを特徴とする、請求項１に記載の有機電界発光表示装置。
【請求項３】
前記第２制御信号は、その位相が前記第１制御信号と反対であることを特徴とする、請求項１に記載の有機電界発光表示装置。
【請求項４】
前記第３電源は、その電圧が前記第１電源の電圧と同一であることを特徴とする、請求項１〜３のいずれかに記載の有機電界発光表示装置。
【請求項５】
前記走査線に前記第１走査信号が供給される時、前記データ線のデータ信号が前記第１ノードに印加されて、前記走査線に前記第２走査信号が供給される時前記第３電源が前記第１ノードに印加されることを特徴とする、請求項１に記載の有機電界発光表示装置。
【請求項６】
前記第１トランジスタから前記第６トランジスタは、ＰＭＯＳトランジスタ、ＮＭＯＳトランジスタ、またはＣＭＯＳトランジスタのうちいずれか一つであることを特徴とする、請求項１に記載の有機電界発光表示装置。
【請求項７】
走査線、第１制御線、第２制御線、データ線、第１電源、第２電源及び第３電源に接続される画素を含む画素部と、
前記第１制御線及び前記第２制御線を介して前記各画素に第１制御信号及び第２制御信号を提供する制御線駆動部と、
前記走査線を介して前記各画素に走査信号を提供する走査駆動部と、
前記データ線を介して前記各画素にデータ信号を提供するデータ駆動部と、
を含み、
前記各画素は、第１電極が前記第１電源に連結され、第２電極が第２トランジスタの第１電極に連結されて、ゲート電極が第１ノードに連結される第１トランジスタと、
第１電極が前記第１トランジスタの第２電極に連結され、第２電極が有機発光ダイオードのアノード電極に連結されて、ゲート電極が第１制御線に連結される第２トランジスタと、
第１電極が前記第３電源に連結され、第２電極が第４トランジスタの第１電極に連結されて、ゲート電極が走査線に連結される第３トランジスタと、
第１電極が前記第３トランジスタの第２電極に連結され、第２電極が前記第１ノードに連結されて、ゲート電極が前記第１制御線に連結される第４トランジスタと、
第１電極が前記データ線に連結され、第２電極が第６トランジスタの第２電極に連結されて、ゲート電極が第２制御線に連結される第５トランジスタと、
第１電極が前記第１ノードに連結され、第２電極が前記第５トランジスタの第２電極に連結されて、ゲート電極が前記走査線に連結される第６トランジスタと、
前記第１ノードと前記第１トランジスタの第１電極との間に接続されるストレージキャパシタと、
アノード電極が前記第２トランジスタの第２電極に連結されて、カソード電極が前記第２電源に連結される有機発光ダイオードと、を含む有機電界発光表示装置の駆動方法であって、
（ａ）一フレームの第１期間の間第１走査信号が供給されて前記ストレージキャパシタにデータ信号と前記第１電源の差にあたる電圧が充電される段階と、
（ｂ）一フレームの第２期間の間前記ストレージキャパシタに充電された電圧に対応される輝度に発光される段階と、
（ｃ）一フレームの第３期間の間第２走査信号が供給されて前記ストレージキャパシタに前記第３電源と前記第１電源の差にあたる電圧が充電される段階と、
を含むことを特徴とする、有機電界発光表示装置の駆動方法。
【請求項８】
前記第３電源は、その電圧が前記第１電源の電圧と同一であることを特徴とする、請求項７記載の有機電界発光表示装置の駆動方法。
【請求項９】
（ｄ）一フレームの第４期間の間発光が中断される段階をさらに含むことを特徴とする、請求項７または８に記載の有機電界発光表示装置の駆動方法。
【請求項１０】
前記第２走査信号は、前記第１走査信号より既に設定された期間だけ時間的に水平移動されたことを特徴とする、請求項７〜９のいずれかに記載の有機電界発光表示装置の駆動方法。
【発明の詳細な説明】
【技術分野】
【０００１】
本発明は、有機電界発光表示装置及び有機電界発光表示装置の駆動方法に関し、より詳細には、ブラックデータを挿入してモーションブロリングを除去する有機電界発光表示装置及び有機電界発光表示装置の駆動方法に関する。
【背景技術】
【０００２】
近年、陰極線管（ＣａｔｈｏＤｅ  Ｒａｙ  Ｔｕｂｅ）の短所である重さと体積を減らすことができる各種平板表示装置等が開発されている。平板表示装置としては、液晶表示装置（ＬｉｑｕｉＤ  ＣｒｙＳｔａｌ  ＤｉＳｐｌａｙ）、電界放出表示装置（ＦｉｅｌＤ  ＥＭｉＳＳｉｏｎ  ＤｉＳｐｌａｙ）、プラズマ表示パネル（ＰｌａＳＭａ  ＤｉＳｐｌａｙ  Ｐａｎｅｌ）、及び有機電界発光表示装置（Ｏｒａｇａｎｉｃ  Ｌｉｇｈｔ  ＥＭｉｔｔｉｎｇ  ＤｉＳｐｌａｙ  Ｄｅｖｉｃｅ）などがある。
【０００３】
特に、有機電界発光表示装置は、電子と正孔の再結合によって光を発生する有機発光ダイオードを利用して映像を表示する。このような有機電界発光表示装置は、早い応答速度を持つとともに低い消費電力によって駆動されるという長所がある。
【０００４】
図１は、従来の有機電界発光表示装置の画素を示す回路図である。図１を参照すれば、従来の有機電界発光表示装置の画素４は有機発光ダイオードＯＬＥＤと、データ線Ｄｍ及び走査線Ｓｎに接続されて有機発光ダイオードを制御するための画素回路２を備える。
【０００５】
有機発光ダイオードのアノード電極は、画素回路２に接続され、カソード電極は接地電源ＥＬＶＳＳに接続される。このような有機発光ダイオードは画素回路２から供給される電流に対応されて所定輝度の光を生成する。
【０００６】
画素回路２は、走査線Ｓｎに走査信号が供給される時データ線Ｄｍに供給されるデータ信号に対応されて有機発光ダイオードに供給される電流量を制御する。このために、画素回路２は第１電源ＥＬＶＤＤと有機発光ダイオードとの間に接続された第２トランジスタＭ２と、第２トランジスタＭ２、データ線Ｄｍ及び走査線Ｓｎとの間に接続された第１トランジスタＭ１と、第２トランジスタＭ２のゲート電極と第１電極との間に接続されたストレージキャパシタＣｓｔを備える。
【０００７】
第１トランジスタＭ１のゲート電極は、走査線Ｓｎに接続されて、第１電極はデータ線Ｄｍに接続される。そして、第１トランジスタＭ１の第２電極は、ストレージキャパシタＣｓｔの一側端子に接続される。ここで、第１電極はソース電極及びドレイン電極のうちいずれか一つに設定され、第２電極は第１電極と異なる電極に設定される。例えば、第１電極がソース電極に設定されれば第２電極はドレイン電極に設定される。走査線Ｓｎ及びデータ線Ｄｍに接続された第１トランジスタＭ１は走査線Ｓｎから走査信号が供給される時ターンオンされてデータ線Ｄｍから供給されるデータ信号をストレージキャパシタＣｓｔに供給する。この時、ストレージキャパシタＣｓｔはデータ信号に対応される電圧を充電する。
【０００８】
第２トランジスタＭ２のゲート電極は、ストレージキャパシタＣｓｔの一側端子に接続されて、第１電極はストレージキャパシタＣｓｔの他側端子及び第１電源ＥＬＶＤＤに接続される。そして、第２トランジスタＭ２の第２電極は有機発光ダイオードのアノード電極に接続される。このような第２トランジスタＭ２はストレージキャパシタＣｓｔに格納された電圧値に対応して、第１電源ＥＬＶＤＤから有機発光ダイオードを経由して接地電源ＥＬＶＳＳへ流れる電流量を制御する。この時、有機発光ダイオードは第２トランジスタＭ２から供給される電流量に対応される光を生成する。
【０００９】
しかし、有機電界発光表示装置は陰極線管とは違ってキャパシタＣｓｔによる維持特性によって動画で画面が鮮明でなく、薄暗く見えるモーションブロリング（Ｍｏｔｉｏｎ  Ｂｌｕｒｒｉｎｇ）現象が現われるようになる。このようなモーションブロリングを防止するために各映像フレームの間にブラックデータを挿入するブラックデータインサーション（Ｂｌａｃｋ  Ｄａｔａ  ＩｎＳｅｔｔｉｏｎ）方式が提案された（例えば特許文献１〜３参照）。
【先行技術文献】
【特許文献】
【００１０】
【特許文献１】韓国特許公開第２００９−００９２６４４号
【特許文献２】韓国特許公開第２００９−００９０６７３号
【特許文献３】韓国特許公開第２００９−００７３６８８号
【発明の概要】
【発明が解決しようとする課題】
【００１１】
しかし、図１のような従来の画素構造ではデータ線Ｄｍを多くの画素が共有しているので、走査信号を二度以上供給するようになれば所望しない他のラインにデータが記入されて画面に表示されるため、一フレームで二度以上の走査信号を供給することができなかった。
【００１２】
従って、ブラックデータを挿入するためには、特定フレームに供給される画像データの代わりにブラックデータに置換しなければならない。すなわち、一番目の画像フレームが出て、二番目の画像フレームが出なければならない時点でブラックデータが挿入されるのである。一例として、６０Ｈｚ駆動の場合、駆動周波数の変更なしにブラックデータを挿入すれば、実際に見える画像データは３０枚なので３０Ｈｚにフレーム周波数が落ちるしかないという問題があり、１秒に６０枚のフレームを見せるためには、駆動は１２０Ｈｚにして総６０枚の映像及び６０枚のブラック画像を見せるような方法を使用しなければならないという問題があった。
【００１３】
そこで、本発明は、上記問題に鑑みてなされたものであり、本発明の目的とするところは、ブラックデータを挿入してモーションブロリングを除去することが可能な、新規かつ改良された有機電界発光表示装置及び有機電界発光表示装置の駆動方法を提供することにある。また、本発明の別の目的とするところは、周波数の変更なしにブラックデータの挿入が可能な、新規かつ改良された有有機電界発光表示装置及びその駆動方法を提供することにある。
【課題を解決するための手段】
【００１４】
上記課題を解決するために、本発明のある観点によれば、走査線、第１制御線、第２制御線、データ線、第１電源、第２電源及び第３電源に接続される画素を含む画素部と、前記第１制御線及び前記第２制御線を介して前記各画素に第１制御信号及び第２制御信号を提供する制御線駆動部と、前記走査線を介して前記各画素に走査信号を提供する走査駆動部と、前記データ線を介して前記各画素にデータ信号を提供するデータ駆動部と、を含み、前記走査駆動部は一フレーム期間の間それぞれの前記走査線に第１走査信号及び第２走査信号を提供することを特徴とする、有機電界発光表示装置が提供される。
【００１５】
前記第２走査信号は、前記第１走査信号より既に設定された期間だけシフトされたものであってもよい。
【００１６】
前記第２制御信号は、その位相が前記第１制御信号と反対であってもよい。
【００１７】
前記各画素は、第１電極が前記第１電源に連結され、第２電極が第２トランジスタの第１電極に連結されて、ゲート電極が第１ノードに連結される第１トランジスタと、第１電極が前記第１トランジスタの第２電極に連結され、第２電極が有機発光ダイオードのアノード電極に連結されて、ゲート電極が第１制御線に連結される第２トランジスタと、第１電極が前記第３電源に連結され、第２電極が第４トランジスタの第１電極に連結されて、ゲート電極が走査線に連結される第３トランジスタと、第１電極が前記第３トランジスタの第２電極に連結され、第２電極が前記第１ノードに連結されて、ゲート電極が前記第１制御線に連結される第４トランジスタと、第１電極が前記データ線に連結され、第２電極が第６トランジスタの第２電極に連結されて、ゲート電極が第２制御線に連結される第５トランジスタと、第１電極が前記第１ノードに連結され、第２電極が前記第５トランジスタの第２電極に連結されて、ゲート電極が前記走査線に連結される第６トランジスタと、前記第１ノードと前記第１トランジスタの第１電極との間に接続されるストレージキャパシタと、アノード電極が前記第２トランジスタの第２電極に連結されて、カソード電極が前記第２電源に連結される有機発光ダイオードと、を含んでいてもよい。
【００１８】
前記第３電源は、その電圧が前記第１電源の電圧と同一であってもよい。
【００１９】
前記走査線に前記第１走査信号が供給される時、前記データ線のデータ信号が前記第１ノードに印加されて、前記走査線に前記第２走査信号が供給される時前記第３電源が前記第１ノードに印加されてもよい。
【００２０】
前記第１トランジスタから第６トランジスタは、ＰＭＯＳトランジスタ、ＮＭＯＳトランジスタ、またはＣＭＯＳトランジスタのうちいずれか一つであってもよい。
【００２１】
また、上記課題を解決するために、本発明の別の観点によれば、（ａ）一フレームの第１期間の間第１走査信号が供給されてストレージキャパシタにデータ信号と第１電源の差にあたる電圧が充電される段階と、（ｂ）一フレームの第２期間の間前記ストレージキャパシタに充電された電圧に対応される輝度に発光される段階と、（ｃ）一フレームの第３期間の間第２走査信号が供給されてストレージキャパシタに第３電源と第１電源の差にあたる電圧が充電される段階と、を含むことを特徴とする、有機電界発光表示装置の駆動方法が提供される。
【００２２】
前記第３電源は、その電圧が前記第１電源の電圧と同一であってもよい。
【００２３】
上記有機電界発光表示装置の駆動方法は、（ｄ）一フレームの第４期間の間発光が中断される段階をさらに含んでいてもよい。
【００２４】
前記第２走査信号は、前記第１走査信号より既に設定された期間だけシフトされていてもよい。
【発明の効果】
【００２５】
以上説明したように本発明によれば、ブラックデータを挿入してモーションブロリングを除去することが可能な、新規かつ改良された有機電界発光表示装置及び有機電界発光表示装置の駆動方法を提供することができる。また本発明によれば、周波数の変更なしにブラックデータの挿入が可能な、新規かつ改良された有有機電界発光表示装置及びその駆動方法を提供することができる。
【図面の簡単な説明】
【００２６】
【図１】従来の有機電界発光表示装置の画素を示す回路図である。
【図２】本発明の好ましい実施形態による有機電界発光表示装置を示した図面である。
【図３】本発明の好ましい実施形態による画素を示した図面である。
【図４】図３に示された画素を駆動するための駆動波形図である。
【図５】本発明の好ましい実施形態による有機電界発光表示装置の一フレームを示した図面である。
【図６】本発明の好ましい実施形態による有機電界発光表示装置が表示する画面を示した図面である。
【発明を実施するための形態】
【００２７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２８】
図２は、本発明の好ましい実施形態による有機電界発光表示装置を示した図面である。図２を参照すれば、本発明の好ましい実施形態による有機電界発光表示装置は、走査線（Ｓ１〜Ｓｎ）、第１制御線（ＥＭ１〜ＥＭｎ）、第２制御線（ＥＭ＿Ｂ１〜ＥＭ＿Ｂｎ）、データ線（Ｄ１〜Ｄｍ）、第１電源ＥＬＶＤＤ、第２電源ＥＬＶＳＳ及び第３電源（（Ｖｂｌａｃｋ））に接続される画素１０を含む画素部２０と、第１制御線（ＥＭ１〜ＥＭｎ）及び第２制御線（ＥＭ＿Ｂ１〜ＥＭ＿Ｂｎ）を介して各画素１０に第１制御信号及び第２制御信号を供給する制御線駆動部３２と、走査線（Ｓ１〜Ｓｎ）を介して各画素１０に走査信号を供給する走査駆動部３０と、データ線（Ｄ１〜Ｄｍ）を介してデータ信号を各画素１０に供給するデータ駆動部４０と、走査駆動部３０、制御線駆動部３２及びデータ駆動部４０を制御するためのタイミング制御部５０を備える。
【００２９】
制御線駆動部３２は、タイミング制御部５０の制御によって第１制御信号及び第２制御信号を生成し、生成された第１制御信号を第１制御線（ＥＭ１〜ＥＭｎ）に供給し、生成された第２制御信号を第２制御線（ＥＭ＿Ｂ１〜ＥＭ＿Ｂｎ）に順次供給する。この時、第２制御信号は第１制御信号とその位相が反対となることが好ましい。すなわち、第１制御信号がハイレベルの場合には第２制御信号はローレベルになり、第１制御信号がローレベルの場合には第２制御信号はハイレベルになることが好ましい。図２では制御線駆動部３２が走査駆動部３０とは別に示されているが、制御線駆動部３２は走査駆動部３０に含まれるようにしてもよい。
【００３０】
データ駆動部４０は、タイミング制御部５０の制御によってデータ信号を生成し、生成されたデータ信号をデータ線（Ｄ１〜Ｄｍ）に供給する。各画素１０は第１電源ＥＬＶＤＤ、第２電源ＥＬＶＳＳ及び第３電源（Ｖｂｌａｃｋ）に連結される。第１電源ＥＬＶＤＤ、第２電源ＥＬＶＳＳ及び第３電源（Ｖｂｌａｃｋ）の供給を受けた画素１０それぞれは、第１電源ＥＬＶＤＤから有機発光ダイオードを経由して第２電源ＥＬＶＳＳまで流れる電流によってデータ信号に対応する光を生成する。また、第３電源（Ｖｂｌａｃｋ）が印加されることによって電流の生成が中断され、これに有機発光ダイオードは発光されなくてブラック映像が表示されることが可能になる。
【００３１】
走査駆動部３０は、タイミング制御部５０の制御によって走査信号を生成し、生成された走査信号を走査線（Ｓ１〜Ｓｎ）に順次供給する。特に、走査駆動部３０は、一フレーム期間の間それぞれの走査線（Ｓ１〜Ｓｎ）に対して２回走査信号を供給する。この時、一フレーム期間の間供給される２回の走査信号のうち、一番目に供給される走査信号を第１走査信号とし、二番目に供給される走査信号を第２走査信号として定義し、第２走査信号は第１走査信号より既に設定された期間だけシフトされて供給される。また、第１走査信号は走査線（Ｓ１〜Ｓｎ）に対して順次供給され、第２走査信号も同様に走査線（Ｓ１〜Ｓｎ）に順次供給されることが好ましい。
【００３２】
図３は、本発明の好ましい実施形態による画素を示した図面である。図３では説明の便宜性のために第ｎ走査線Ｓｎ及び第ｍデータ線Ｄｍに接続された画素を図示する。図３を参照すれば、本発明の好ましい実施形態による各画素１０は、有機発光ダイオードとデータ線Ｄｍ及び走査線Ｓｎに接続されて有機発光ダイオードに供給される電流量を制御するための画素回路１２を備える。
【００３３】
有機発光ダイオードのアノード電極は、画素回路１２に接続されて、カソード電極は第２電源ＥＬＶＳＳに接続される。このような有機発光ダイオードは画素回路１２から供給される電流に対応して所定輝度の光を生成する。
【００３４】
画素回路１２は、走査線Ｓｎに走査信号が供給される時データ線Ｄｍに供給されるデータ信号に対応され、第１電源ＥＬＶＤＤから有機発光ダイオードを経由して第２電源ＥＬＶＳＳに供給される電流量を制御する。このために、画素回路１２は第１トランジスタ〜６トランジスタ（Ｍ１〜Ｍ６）及びストレージキャパシタＣｓｔを含む。
【００３５】
第１トランジスタＭ１は、駆動トランジスタとしてゲート電極及び第１電極の間にかかる電圧に対応する電流を生成して有機発光ダイオードに供給する。このために、第１トランジスタＭ１は、第１電極が第１電源ＥＬＶＤＤに連結され、第２電極が第２トランジスタＭ２の第１電極に連結されて、ゲート電極が第１ノードＮ１に連結される。第１ノードＮ１には第１トランジスタＭ１のゲート電極、第６トランジスタＭ６の第１電極、ストレージキャパシタＣｓｔの一側端子、第４トランジスタＭ４の第２電極が連結される。
【００３６】
第２トランジスタＭ２は、第１電極が第１トランジスタＭ１の第２電極に連結され、第２電極が有機発光ダイオードのアノード電極に連結されて、ゲート電極が第１制御線ＥＭｎに連結される。また、第２トランジスタＭ２は第１制御線ＥＭｎから第１制御信号が供給される場合に、ターンオフされて第１トランジスタＭ１から有機発光ダイオードへの電流の伝達を遮断し、第１制御信号が供給されない場合にはターンオン状態を維持する。
【００３７】
第３トランジスタＭ３は、第１電極が第３電源（Ｖｂｌａｃｋ）に連結され、第２電極が第４トランジスタＭ４の第１電極に連結されて、ゲート電極が走査線Ｓｎに連結される。また、第３トランジスタＭ３は走査線Ｓｎから走査信号が供給される場合にターンオンされて第３電源（Ｖｂｌａｃｋ）を第４トランジスタＭ４に伝達し、走査信号が供給されない場合にはターンオフ状態を維持する。
【００３８】
第４トランジスタＭ４は、第１電極が第３トランジスタＭ３の第２電極に連結され、第２電極が第１ノードＮ１に連結されて、ゲート電極が第１制御線ＥＭｎに連結される。また、第４トランジスタＭ４は第１制御線ＥＭｎから第１制御信号が供給される場合にターンオフされて第３トランジスタＭ３によって伝達される第３電源（Ｖｂｌａｃｋ）が第１ノードＮ１に印加されるのを遮断して、第１制御信号が供給されない場合にはターンオンされて第３電源（Ｖｂｌａｃｋ）を第１ノードＮ１に印加させる。
【００３９】
第５トランジスタＭ５は、第１電極がデータ線Ｄｍに連結され、第２電極が第６トランジスタＭ６の第２電極に連結されて、ゲート電極が第２制御線ＥＭ＿Ｂｎに連結される。また、第２制御線ＥＭ＿Ｂｎから第２制御信号が供給される場合にターンオンされてデータ線Ｄｍのデータ信号を第６トランジスタＭ６に伝達して、第２制御信号が供給されない場合にはターンオフ状態を維持する。
【００４０】
第６トランジスタＭ６は、第１電極が第１ノードＮ１に連結され、第２電極が第５トランジスタＭ５の第２電極に連結されて、ゲート電極が走査線Ｓｎに連結される。また、第６トランジスタＭ６は走査線Ｓｎに走査信号が供給される場合にターンオンされて第５トランジスタＭ５によって伝達されたデータ信号を第１ノードＮ１に印加させ、走査信号が供給されない場合にはターンオフされてデータ信号が第１ノードＮ１に印加されるのを遮断する。
【００４１】
ストレージキャパシタＣｓｔは、第１ノードＮ１と第１トランジスタＭ１の第１電極の間に接続される。したがって、ストレージキャパシタＣｓｔの一側端子は第１トランジスタＭ１のゲート電極、第６トランジスタＭ６の第１電極及び第４トランジスタＭ４の第２電極に連結され、他側端子は第１トランジスタＭ１の第１電極とともに第１電源ＥＬＶＤＤに連結される。このようなストレージキャパシタＣｓｔの一側端子にはデータ線Ｄｍに供給されるデータ信号または第３電源（Ｖｂｌａｃｋ）が印加される。
【００４２】
したがって、ストレージキャパシタＣｓｔにはデータ信号と第１電源ＥＬＶＤＤの差にあたる電圧または第３電源（Ｖｂｌａｃｋ）と第１電源ＥＬＶＤＤの差にあたる電圧が充電されて、第１トランジスタＭ１は前記ストレージキャパシタＣｓｔに充電された電圧に対応される電流を生成する。
【００４３】
有機発光ダイオードは、アノード電極が第２トランジスタＭ２の第２電極に連結され、カソード電極が第２電源ＥＬＶＳＳに連結されて、第１トランジスタＭ１の電流に対応する光を生成する。
【００４４】
第１電源ＥＬＶＤＤは、高電位電源として第１トランジスタＭ１の第１電極及びストレージキャパシタＣｓｔの他側端子に接続される。第２電源ＥＬＶＳＳは、第１電源ＥＬＶＤＤより低いレベルの電圧を持つ低電位電源であり、有機発光ダイオードのカソード電極に接続される。第３電源（Ｖｂｌａｃｋ）は１フレーム区間中一部のブラック処理のためのブラックデータ信号を第１トランジスタＭ１のゲート電極に印加させるための電源であり、第３トランジスタＭ３の第１電極に接続される。
【００４５】
また、第３電源（Ｖｂｌａｃｋ）は有機発光ダイオードが発光しないようにして、ブラックデータを挿入するものであるから、第１トランジスタＭ１をターンオフさせるように第１電源ＥＬＶＤＤ電圧以上の電圧を持つことができる。
【００４６】
特に、その中で第３電源（Ｖｂｌａｃｋ）は第１電源ＥＬＶＤＤと同一の電圧を持つことが好ましいが、これは第１電源ＥＬＶＤＤと同じ電圧を持つことで一つの電源のみ具備すれば良いので電圧が異なる二つの電源を備える必要がなくなるからである。
【００４７】
上述した第１トランジスタ〜６トランジスタ（Ｍ１〜Ｍ６）は、図３に示されたようなＰＭＯＳトランジスタで具現されうるだけでなく、ＮＭＯＳトランジスタまたはＣＭＯＳトランジスタで具現されうることは当業者にとって自明なところである。
【００４８】
図４は、図３に示された画素を駆動するための駆動波形図である。以下、図３及び図４を結付して本発明の好ましい実施形態による駆動方法による有機電界発光表示装置の動作を詳細に説明する。
【００４９】
本実施形態の駆動は、フレームごとにデータ信号が入力される第１走査信号供給区間（Ｔ１）、データ信号に対応される輝度で発光する発光区間（Ｔ２）、第３電源（Ｖｂｌａｃｋ）が入力される第２走査信号供給区間（Ｔ３）及び発光オフ区間（Ｔ４）で行われる。
【００５０】
まず、第１期間である第１走査信号供給区間（Ｔ１）を参照すると、Ｔ１区間の間走査線Ｓｎに第１走査信号が供給される。また、第１制御線ＥＭｎ及び第２制御線ＥＭ＿Ｂｎもそれぞれ第１制御信号及び第２制御信号が供給される。
【００５１】
図４には各制御信号の供給区間が第１走査信号供給区間（Ｔ１）と同じ長さで示されているが、本発明においては第１走査信号供給区間（Ｔ１）を含んでも構わない。
【００５２】
第１制御信号は、第２トランジスタＭ２及び第４トランジスタＭ４をターンオフさせる役目を遂行するもので、第２トランジスタＭ２及び第４トランジスタＭ４が図３に示されたようにＰＭＯＳトランジスタである場合には、ハイレベルの電圧になり、ＮＭＯＳトランジスタである場合には反対にローレベルの電圧を持つようになる。
【００５３】
第２制御信号は、第５トランジスタＭ５をターンオンさせる役目を遂行するもので、第５トランジスタＭ５が図３に示されたようにＰＭＯＳトランジスタである場合には、ローレベルの電圧になり、ＮＭＯＳトランジスタである場合には反対にハイレベルの電圧を持つようになる。結局、第１制御信号と第２制御信号はその位相が互いに反対になる。
【００５４】
データ線Ｄｍに供給されるデータ信号を第１ノードＮ１に印加するために、第１走査信号によって第６トランジスタＭ６がターンオンされ、第２制御信号によって第５トランジスタＭ５がターンオンされる。この時、第１走査信号によって第３トランジスタＭ３をもターンオンされるが、第３電源（Ｖｂｌａｃｋ）が第１ノードＮ１に印加されることを防止するために第１制御信号によって第４トランジスタＭ４がターンオフされる。また、データ信号に対応される電圧がストレージキャパシタＣｓｔに円滑に充電されるために、第２トランジスタＭ２が第１制御信号によってターンオフされることで有機発光ダイオードへ電流が流れなくなる。
【００５５】
走査信号は、第３トランジスタＭ３及び第６トランジスタＭ６をターンオンさせる役目を遂行するもので、第３トランジスタＭ３及び第６トランジスタＭ６が図３に示されたようにＰＭＯＳトランジスタの場合には、図４に示されたようにローレベルの電圧になり、ＮＭＯＳトランジスタの場合には反対にハイレベルの電圧を持つようになる。この時、画素回路１２の動作をよく見ると、第５トランジスタ及び第６トランジスタ（Ｍ５、Ｍ６）がターンオンされたので、データ線Ｄｍに供給されるデータ信号が第１ノードＮ１、すなわち、第１トランジスタＭ１のゲート電極に印加されるようになる。したがって、第１トランジスタＭ１のゲート電極にはデータ信号が、第１トランジスタＭ１の第１電極には第１電源ＥＬＶＤＤが印加され、これによってストレージキャパシタＣｓｔにはデータ信号と第１電源ＥＬＶＤＤとの差にあたる電圧が充電される。
【００５６】
ストレージキャパシタＣｓｔに充電された電圧に対応される電流が第１トランジスタＭ１から生成されるが、第２トランジスタＭ２がターンオフされており、有機発光ダイオードへ電流が流れず、光が発生しなくなる。
【００５７】
次に、第２期間の発光区間（Ｔ２）をよく見ると、第１走査信号の供給が中断されることによって第３トランジスタＭ３がターンオフされてデータ信号の供給を遮断し、第６トランジスタＭ６がターンオフされて第３電源（Ｖｂｌａｃｋ）の供給を遮断する。
【００５８】
第１制御信号の供給が中断されることによって第２トランジスタＭ２がターンオンされてストレージキャパシタＣｓｔに格納された電圧に対応される電流が第１トランジスタＭ１から有機発光ダイオードへ流れるようになり、これによってデータ信号に対応される輝度で有機発光ダイオードが発光することになる。
また、第１制御信号の供給が中断されることによって第４トランジスタＭ４がターンオンされるが、この時、第３トランジスタＭ３はターンオフされた状態なので第３電源（Ｖｂｌａｃｋ）の入力は遮断される。
【００５９】
第２制御信号の供給が中断されることによって第５トランジスタＭ５がターンオフされてデータ信号の供給を遮断する。しかし、データ信号の遮断は第５トランジスタＭ５または第６トランジスタＭ６のうちいずれか一つのみターンオフされても達成しえる。
【００６０】
有機発光ダイオード発光中に第２走査信号が前記走査線Ｓｎに供給されることで、発光区間（Ｔ２）で第３期間の第２走査信号供給区間（Ｔ３）に進む。
【００６１】
第３電源（Ｖｂｌａｃｋ）を第１ノードＮ１に印加するために第３トランジスタＭ３が第２走査信号によってターンオンされて、第４トランジスタＭ４も第１制御信号が供給されなくてターンオンされる。この時、第２走査信号によって第６トランジスタＭ６がターンオンされるが、第２制御信号が供給されなくて第５トランジスタＭ５がターンオフされることで、データ線Ｄｍのデータ信号の伝達が遮断される。また、第１制御信号の供給が中断されることによって第２トランジスタＭ２はターンオンされるが、第３電源（Ｖｂｌａｃｋ）が第１ノードＮ１に印加されることによって第１トランジスタＭ１がターンオフされるので発光は行われなくなる。結局、第３、４トランジスタ（Ｍ３、Ｍ４）がターンオンされて第３電源（Ｖｂｌａｃｋ）が第１トランジスタＭ１のゲート電極に印加されて、ストレージキャパシタＣｓｔの充電電圧は第３電源（Ｖｂｌａｃｋ）と第１電源ＥＬＶＤＤとの差に当たる電圧に初期化されるようになる。
【００６２】
第３電源（Ｖｂｌａｃｋ）は、第１電源ＥＬＶＤＤ以上の電圧を持つことを上述したので、第１トランジスタＭ１はターンオフされ、これによって発光は中止されてブラック映像が画面に表示されるようになる。その後、第２走査信号の供給が中断されることで、第２走査信号供給区間（Ｔ３）で第４期間である発光オフ区間（Ｔ４）に進む。
【００６３】
第２走査信号の供給が中断されることで第３トランジスタＭ３はターンオフされて第３電源（Ｖｂｌａｃｋ）の伝達が遮断される。したがって、第１トランジスタＭ１のゲート電極の電圧は、それ以上変化されず、それによってストレージキャパシタＣｓｔの電圧をも変化されなくて第１トランジスタＭ１は一フレーム終了の時までターンオフ状態を維持する。結局、第１トランジスタＭ１がターンオフ状態を維持することによって発光がフレーム終了の時まで中断される。その後、再度第１走査信号供給区間（Ｔ１）に進入して上述した動作を繰り返すことになる。
【００６４】
図５は、本発明の好ましい実施形態による有機電界発光表示装置の一フレームを示した図面であり、図６は本発明の好ましい実施形態による有機電界発光表示装置を表示する画面を示した図面である。以下、図５及び図６を参照して本発明の好ましい実施形態による画面表示過程を説明する。
【００６５】
走査駆動部３０は、まず走査線（Ｓ１〜Ｓｎ）に対して第１走査信号を順次供給する。第１走査信号の供給によって図６に示されたように一番目の画素ラインから発光を始めて順次次のラインが発光するようになる。
【００６６】
発光区間（Ｔ２）が過ぎると、走査駆動部３０は再度走査線（Ｓ１〜Ｓｎ）に対して第２走査信号を順次供給する。それによって、図６に示されたようにブラック画像が一番目の画素ラインから順次表示される。その後、一フレームが終われば、走査駆動部３０は再度第１走査信号及び第２走査信号を供給して上述した過程を繰り返して画面を表示する。結局、ブラック画像を挿入することによってモーションブロリング現象を除去して画質を改善させることができる。また、一フレーム区間に走査信号を２回供給することによって駆動速度を増加させる必要がなくて低速駆動部品の使用によって素子寿命の向上及び原価節減などを果たすことができる。
【００６７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６８】
３０    走査駆動部
３２    制御線駆動部
４０    データ駆動部
５０    タイミング制御部
【図１】
0006017756.tif 000002
【図２】
0006017756.tif 000003
【図３】
0006017756.tif 000004
【図４】
0006017756.tif 000005
【図５】
0006017756.tif 000006
【図６】
0006017756.tif 000007